(57)【要約】【課題】予め決められた規格を満たした良品を不良品と誤判定する可能性が低減された検査装置及び検査方法を提供する。【解決手段】検査装置１０は、被検査対象物６０を撮像する撮像部２０と、撮像部２０によって得られた被検査対象物６０の撮像データを処理し、処理画像データを生成する画像処理部３０と、処理画像データ及び予め規定された欠陥のデータに基づいて被検査対象物６０の欠陥の有無を判定する第１の判定部４０と、処理画像データ及び予め構築された学習モデルに基づいて被検査対象物６０の欠陥の有無を判定する第２の判定部５０と、を備え、第２の判定部５０が欠陥があると判定した被検査対象物６０に対して第１の判定部４０が欠陥の有無を判定する。【選択図】図１
2020112456.tif 000002
【特許請求の範囲】
【請求項１】
被検査対象物を撮像する撮像部と、
前記撮像部によって得られた前記被検査対象物の撮像データを処理し、処理画像データを生成する画像処理部と、
前記処理画像データ及び予め規定された欠陥のデータに基づいて前記被検査対象物の欠陥の有無を判定する第１の判定部と、
前記処理画像データ及び予め構築された学習モデルに基づいて前記被検査対象物の欠陥の有無を判定する第２の判定部と、を備え、
前記第２の判定部が前記欠陥があると判定した前記被検査対象物に対して前記第１の判定部が欠陥の有無を判定する検査装置。
【請求項２】
被検査対象物を撮像する撮像部と、
前記撮像部によって得られた前記被検査対象物の撮像データを処理し、処理画像データを生成する画像処理部と、
前記処理画像データをルールベースにより処理して前記被検査対象物の欠陥の有無を判定する第１の判定部と、
前記処理画像データを機械学習により処理して前記被検査対象物の欠陥の有無を判定する第２の判定部と、を備え、
前記第２の判定部が前記欠陥があると判定した前記被検査対象物に対して前記第１の判定部が欠陥の有無を判定する検査装置。
【請求項３】
被検査対象物を撮像する撮像部と、
前記撮像部によって得られた前記被検査対象物の撮像データを処理し、処理画像データを生成する画像処理部と、
前記処理画像データ及び予め規定された欠陥のデータに基づいて前記被検査対象物の欠陥の有無を判定する第１の判定部と、
前記処理画像データ及び予め構築された学習モデルに基づいて前記被検査対象物の欠陥の有無を判定する第２の判定部と、を備えた検査装置を用いて前記被検査対象物を検査する検査方法であって、
前記第２の判定部が前記欠陥があると判定した前記被検査対象物に対して前記第１の判定部が欠陥の有無を判定し、欠陥がないと判定した該被検査対象物を良品として取り扱う検査方法。
【発明の詳細な説明】
【技術分野】
【０００１】
本発明は、検査装置及び検査方法に関する。
【背景技術】
【０００２】
特許文献１には、対象物の外観から良品と不良品を判定する外観検査装置が記載されている。この外観検査装置は、撮影照明装置により製品を撮影し、制御部において、撮影制御部にて画像を取得し、前処理部にて製品の位置決め及び背景除去を行い、色空間処理部により製品の傷や打痕等の不具合が強調される色空間処理を行うことで色空間処理画像を生成し、判定部にて、色空間処理画像に基づき製品の良否判定を機械学習した学習済みモデルを用いて、製品の良否判定を行う。
【先行技術文献】
【特許文献】
【０００３】
【特許文献１】国際公開第２０１８／１５０６０７号
【発明の概要】
【発明が解決しようとする課題】
【０００４】
本発明は、予め決められた規格を満たした良品を不良品と誤判定する可能性が低減された検査装置及び検査方法を提供することを目的とする。
【課題を解決するための手段】
【０００５】
請求項１に記載の発明は、被検査対象物を撮像する撮像部と、前記撮像部によって得られた前記被検査対象物の撮像データを処理し、処理画像データを生成する画像処理部と、前記処理画像データ及び予め規定された欠陥のデータに基づいて前記被検査対象物の欠陥の有無を判定する第１の判定部と、前記処理画像データ及び予め構築された学習モデルに基づいて前記被検査対象物の欠陥の有無を判定する第２の判定部と、を備え、前記第２の判定部が前記欠陥があると判定した前記被検査対象物に対して前記第１の判定部が欠陥の有無を判定する検査装置である。
【０００６】
請求項２に記載の発明は、被検査対象物を撮像する撮像部と、前記撮像部によって得られた前記被検査対象物の撮像データを処理し、処理画像データを生成する画像処理部と、前記処理画像データをルールベースにより処理して前記被検査対象物の欠陥の有無を判定する第１の判定部と、前記処理画像データを機械学習により処理して前記被検査対象物の欠陥の有無を判定する第２の判定部と、を備え、前記第２の判定部が前記欠陥があると判定した前記被検査対象物に対して前記第１の判定部が欠陥の有無を判定する検査装置である。
【０００７】
請求項３に記載の発明は、被検査対象物を撮像する撮像部と、前記撮像部によって得られた前記被検査対象物の撮像データを処理し、処理画像データを生成する画像処理部と、
前記処理画像データ及び予め規定された欠陥のデータに基づいて前記被検査対象物の欠陥の有無を判定する第１の判定部と、前記処理画像データ及び予め構築された学習モデルに基づいて前記被検査対象物の欠陥の有無を判定する第２の判定部と、を備えた検査装置を用いて前記被検査対象物を検査する検査方法であって、前記第２の判定部が前記欠陥があると判定した前記被検査対象物に対して前記第１の判定部が欠陥の有無を判定し、欠陥がないと判定した該被検査対象物を良品として取り扱う検査方法である。
【発明の効果】
【０００８】
本発明によれば、予め決められた規格を満たした良品を不良品と誤判定する可能性が低減された検査装置及び検査方法を提供できる。
【図面の簡単な説明】
【０００９】
【図１】本発明の一の実施の形態に係る外観検査装置の構成図である。
【図２】（Ａ）〜（Ｅ）は同外観検査装置が検査する半導体の外観の不良例であって、それぞれ傷、ボイド、汚れ、異物及び未充填を示す説明図である。
【図３】（Ａ）及び（Ｂ）は、同外観検査装置が備える第１の判定部による外観検査の説明図であって、それぞれ半導体の外観の画像及び欠陥として計測する対象となる長さ及び面積を示す画像である。
【図４】同外観検査装置が備える第２の判定部による外観検査の説明図である。
【図５】同外観検査装置による出荷検査のフロー図である。
【発明を実施するための形態】
【００１０】
続いて、添付した図面を参照しつつ、本発明を具体化した実施の形態につき説明し、本発明の理解に供する。なお、図において、説明に関連しない部分は図示を省略する場合がある。
【００１１】
本発明の一実施の形態に係る外観検査装置（検査装置の一例）１０は、図１に示すように、撮像部２０、画像処理部３０、第１の判定部４０及び第２の判定部５０を備え、半導体（被検査対象物の一例）６０の外観上の欠陥を検査することができる。
なお、この欠陥の例として、図２（Ａ）〜図２（Ｅ）にそれぞれ示すような傷、ボイド（気泡により生じた穴）、汚れ、異物（異物の混入又は付着）及び未充填が挙げられる。
【００１２】
撮像部２０は、半導体６０の外観を撮像できるカメラであり、半導体６０の上方に配置されている。
画像処理部３０は、撮像部２０によって得られた半導体６０の撮像データを処理し、処理画像データを生成できる。
【００１３】
第１の判定部４０は、ルールベースにより半導体６０の外観上の欠陥の有無を判定できる。より具体的には、第１の判定部４０は、画像処理部３０が生成した処理画像データ及び予め規定された欠陥のデータに基づいて、半導体６０の外観上の欠陥の有無を判定できる。
第１の判定部４０は、図３（Ａ）に示す半導体６０の画像に対し、図３（Ｂ）に示すように、設定された検査領域（検査対象としない不問エリア以外の領域）において、欠陥を規定するデータとして予め設定された長さや面積等を計測することにより、半導体６０に欠陥があるか否かを判定する。
なお、欠陥として計測する対象は、検出対象とする欠陥の種類によって異なる。例えば、ボイドを規定するデータとして径が０．２ｍｍ以上と設定されると、径が０．２ｍｍ未満のボイドが計測された半導体６０は良品と判定され、それ以外の半導体６０は不良品と判定される。また例えば、傷を規定するデータとして長さ０．２ｍｍ以上と設定されると、長さ０．２ｍｍ未満の傷が計測された半導体６０は良品と判定され、それ以外の半導体６０は不良品と判定される。
従って、第１の判定部４０により、検査結果として保証すべき絶対的な外観上の規格を満たすか否かが判定される。
【００１４】
第２の判定部５０は、機械学習により半導体６０の外観上の欠陥の有無を判定できる。より具体的には、第２の判定部５０は、画像処理部３０が生成した処理画像データ及び予め構築された学習モデルに基づいて、半導体６０の外観上の欠陥の有無を判定できる。
第２の判定部５０は、図４に示すように、予め複数の良品を撮像した画像群とボイド、傷、未充填等の各種の不良品を撮像した画像群とを例えばディープラーニング（教師あり学習の一例）により学習し、構築された学習モデルに基づいて、半導体６０の外観上の欠陥の有無を判定できことに加え、不良品をボイド、傷、未充填等の欠陥の種類に応じて仕分けできる。
なお、第２の判定部５０及び第１の判定部４０がそれぞれ単独で半導体６０の全数を検査する場合、機械学習による第２の判定部５０による判定処理は、ルールベースよる第１の判定部４０による判定処理よりも高速である。
【００１５】
次に、外観検査装置１０の動作（半導体６０の外観検査方法）について説明する。外観検査装置１０は、以下のステップに従って半導体６０の欠陥の有無を検査できる。ただし、可能な場合には、各ステップは順番を入れ替えて実施されてもよいし、並行して実施されてもよい。
以下、説明を単純化するために、規定のボイド及び規定の傷の有無を検査し、これら欠陥がない良品を出荷する出荷検査の例について説明する。
【００１６】
（ステップＳ１）
撮像部２０が出荷前の半導体６０を撮像し、画像処理部３０が撮像データを処理して処理画像を生成する。その後、第２の判定部５０が、学習モデルに基づいて、半導体６０の全数について外観を検査する。
【００１７】
（ステップＳ２）
前ステップＳ１の検査にて半導体６０に欠陥がない（ボイドも傷もない）と判定された場合には、良品として扱われる。
欠陥があると判定された場合には、不良品として扱われる。
【００１８】
（ステップＳ３ａ）
前ステップＳ２にて不良品と判定され、その欠陥がボイド不良の場合には、その不良品について第１の判定部４０がボイドの有無を検査する。
（ステップＳ３ｂ）
第１の判定部４０が規定のボイドが存在しないと判定した場合は、その半導体６０は良品として扱われる。一方、第１の判定部４０が規定のボイドが存在すると判定した場合は、その半導体６０は不良品として扱われる。
なお、第１の判定部４０により判定されたボイド不良は、その具体的な測定結果が検査データとして記録される（ボイド不良が計数値化される）。
【００１９】
（ステップＳ４ａ）
前ステップＳ２にて不良品と判定され、欠陥が傷不良の場合には、その不良品について第１の判定部４０が傷の有無を検査する。
（ステップＳ４ｂ）
第１の判定部４０が規定の傷が存在しないと判定した場合は、その半導体６０は良品として扱われる。一方、第１の判定部４０が規定の傷が存在すると判定した場合は、その半導体６０は不良品として扱われる。
なお、第１の判定部４０により判定された傷不良は、その具体的な測定結果が検査データとして記録される（傷不良が計数値化される）。
【００２０】
（ステップＳ５）
ステップＳ３ｂ及びステップＳ４ｂにて不良品と判定された半導体６０は、不良品として所定の処理がなされる。
ステップＳ１にて不良品と判定された半導体６０のうち、欠陥がボイド不良かつ傷不良である半導体６０は、不良品として所定の処理がなされる。欠陥がボイド不良でも傷不良でもない欠陥（その他不良）である半導体６０も、不良品として所定の処理がなされる。
【００２１】
（ステップＳ６）
ステップＳ２にて良品と判定された半導体６０が出荷される。
ステップＳ３ｂ及びステップＳ４ｂにて良品と判定された半導体６０も出荷される。
【００２２】
このように、外観検査装置１０によれば、第２の判定部５０が機械学習により欠陥がある不良品と判定した半導体６０に対して、第１の判定部４０が再度ルールベースにより欠陥の有無を判定し、欠陥がないと判断した半導体６０を良品として取り扱うことによって、予め決められた規格を満たした良品を不良品と誤判定する可能性が低減される。
また、単独での判定処理に関しては、第２の判定部５０の方が第１の判定部４０よりも高速で良否を判定できるため、第１の判定部４０のみで判定する場合よりも、検査に要する時間は全体として短縮される。
【００２３】
以上、本発明の実施の形態を説明したが、本発明は、上記した形態に限定されるものでなく、要旨を逸脱しない条件の変更等は全て本発明の適用範囲である。
検査装置は、被検査対象の外観を検査する外観検査装置に限定されるものではなく、例えば、内部の欠陥を非接触で検査できる非接触検査装置であってもよい。
【符号の説明】
【００２４】
１０  外観検査装置
２０  撮像部
３０  画像処理部
４０  第１の判定部
５０  第２の判定部
６０  半導体
【図１】
2020112456.tif 000003
【図２】
2020112456.tif 000004
【図３】
2020112456.tif 000005
【図４】
2020112456.tif 000006
【図５】
2020112456.tif 000007
【手続補正書】
【提出日】令和1年9月28日(2019.9.28)
【手続補正１】
【補正対象書類名】特許請求の範囲
【補正対象項目名】全文
【補正方法】変更
【補正の内容】
【特許請求の範囲】
【請求項１】
被検査対象物を撮像する撮像部と、
前記撮像部によって得られた前記被検査対象物の撮像データを処理し、処理画像データを生成する画像処理部と、
前記処理画像データ及び予め規定されたボイド及び傷のデータに基づいて、前記被検査対象物の欠陥の有無を判定する第１の判定部と、
前記処理画像データ及び予め構築された機械学習モデルに基づいて、前記被検査対象物の前記ボイド及び前記傷の有無を判定する第２の判定部と、を備え、
前記第２の判定部が前記ボイドがあり不良であると判定した前記被検査対象物に対して、前記第１の判定部が該ボイドの有無を判定し、
前記第２の判定部が前記傷があり不良であると判定した前記被検査対象物に対して、前記第１の判定部が該傷の有無を判定する検査装置。
【請求項２】
被検査対象物を撮像する撮像部と、
前記撮像部によって得られた前記被検査対象物の撮像データを処理し、処理画像データを生成する画像処理部と、
前記処理画像データ及び予め規定された複数の種類の欠陥のデータに基づいて、前記被検査対象物の欠陥の有無を判定する第１の判定部と、
前記処理画像データ及び予め構築された機械学習モデルに基づいて、前記被検査対象物について前記複数の種類の欠陥の有無を判定する第２の判定部と、を備え、
前記第２の判定部が、前記被検査対象物について特定の種類の前記欠陥があり不良品と判定した場合に、前記第１の判定部が、該不良品について該特定の種類の欠陥の有無を判定する検査装置。
【請求項３】
被検査対象物を撮像する撮像部と、前記撮像部によって得られた前記被検査対象物の撮像データを処理し、処理画像データを生成する画像処理部と、前記処理画像データ及び予め規定された複数の種類の欠陥のデータに基づいて、前記被検査対象物の欠陥の有無を判定する第１の判定部と、前記処理画像データ及び予め構築された機械学習モデルに基づいて、前記被検査対象物について前記複数の種類の欠陥の有無を判定する第２の判定部と、を備えた検査装置を用いて前記被検査対象物を検査する検査方法であって、
前記第２の判定部が、前記被検査対象物について特定の種類の前記欠陥があり不良品と判定した場合に、前記第１の判定部が、該不良品について該特定の種類の欠陥の有無を判定する検査方法。
【手続補正２】
【補正対象書類名】明細書
【補正対象項目名】全文
【補正方法】変更
【補正の内容】
【発明の詳細な説明】
【技術分野】
【０００１】
本発明は、検査装置及び検査方法に関する。
【背景技術】
【０００２】
特許文献１には、対象物の外観から良品と不良品を判定する外観検査装置が記載されている。この外観検査装置は、撮影照明装置により製品を撮影し、制御部において、撮影制御部にて画像を取得し、前処理部にて製品の位置決め及び背景除去を行い、色空間処理部により製品の傷や打痕等の不具合が強調される色空間処理を行うことで色空間処理画像を生成し、判定部にて、色空間処理画像に基づき製品の良否判定を機械学習した学習済みモデルを用いて、製品の良否判定を行う。
【先行技術文献】
【特許文献】
【０００３】
【特許文献１】国際公開第２０１８／１５０６０７号
【発明の概要】
【発明が解決しようとする課題】
【０００４】
本発明は、予め決められた規格を満たした良品を不良品と誤判定する可能性が低減された検査装置及び検査方法を提供することを目的とする。
【課題を解決するための手段】
【０００５】
請求項１に記載の発明は、被検査対象物を撮像する撮像部と、前記撮像部によって得られた前記被検査対象物の撮像データを処理し、処理画像データを生成する画像処理部と、前記処理画像データ及び予め規定されたボイド及び傷のデータに基づいて、前記被検査対象物の欠陥の有無を判定する第１の判定部と、前記処理画像データ及び予め構築された機械学習モデルに基づいて、前記被検査対象物の前記ボイド及び前記傷の有無を判定する第２の判定部と、を備え、前記第２の判定部が前記ボイドがあり不良であると判定した前記被検査対象物に対して、前記第１の判定部が該ボイドの有無を判定し、前記第２の判定部が前記傷があり不良であると判定した前記被検査対象物に対して、前記第１の判定部が該傷の有無を判定する検査装置である。
【０００６】
請求項２に記載の発明は、被検査対象物を撮像する撮像部と、前記撮像部によって得られた前記被検査対象物の撮像データを処理し、処理画像データを生成する画像処理部と、前記処理画像データ及び予め規定された複数の種類の欠陥のデータに基づいて、前記被検査対象物の欠陥の有無を判定する第１の判定部と、前記処理画像データ及び予め構築された機械学習モデルに基づいて、前記被検査対象物について前記複数の種類の欠陥の有無を判定する第２の判定部と、を備え、前記第２の判定部が、前記被検査対象物について特定の種類の前記欠陥があり不良品と判定した場合に、前記第１の判定部が、該不良品について該特定の種類の欠陥の有無を判定する検査装置である。
【０００７】
請求項３に記載の発明は、被検査対象物を撮像する撮像部と、前記撮像部によって得られた前記被検査対象物の撮像データを処理し、処理画像データを生成する画像処理部と、前記処理画像データ及び予め規定された複数の種類の欠陥のデータに基づいて、前記被検査対象物の欠陥の有無を判定する第１の判定部と、前記処理画像データ及び予め構築された機械学習モデルに基づいて、前記被検査対象物について前記複数の種類の欠陥の有無を判定する第２の判定部と、を備えた検査装置を用いて前記被検査対象物を検査する検査方法であって、前記第２の判定部が、前記被検査対象物について特定の種類の前記欠陥があり不良品と判定した場合に、前記第１の判定部が、該不良品について該特定の種類の欠陥の有無を判定する検査方法である。
【発明の効果】
【０００８】
本発明によれば、予め決められた規格を満たした良品を不良品と誤判定する可能性が低減された検査装置及び検査方法を提供できる。
【図面の簡単な説明】
【０００９】
【図１】本発明の一の実施の形態に係る外観検査装置の構成図である。
【図２】（Ａ）〜（Ｅ）は同外観検査装置が検査する半導体の外観の不良例であって、それぞれ傷、ボイド、汚れ、異物及び未充填を示す説明図である。
【図３】（Ａ）及び（Ｂ）は、同外観検査装置が備える第１の判定部による外観検査の説明図であって、それぞれ半導体の外観の画像及び欠陥として計測する対象となる長さ及び面積を示す画像である。
【図４】同外観検査装置が備える第２の判定部による外観検査の説明図である。
【図５】同外観検査装置による出荷検査のフロー図である。
【発明を実施するための形態】
【００１０】
続いて、添付した図面を参照しつつ、本発明を具体化した実施の形態につき説明し、本発明の理解に供する。なお、図において、説明に関連しない部分は図示を省略する場合がある。
【００１１】
本発明の一実施の形態に係る外観検査装置（検査装置の一例）１０は、図１に示すように、撮像部２０、画像処理部３０、第１の判定部４０及び第２の判定部５０を備え、半導体（被検査対象物の一例）６０の外観上の欠陥を検査することができる。
なお、この欠陥の例として、図２（Ａ）〜図２（Ｅ）にそれぞれ示すような傷、ボイド（気泡により生じた穴）、汚れ、異物（異物の混入又は付着）及び未充填が挙げられる。
【００１２】
撮像部２０は、半導体６０の外観を撮像できるカメラであり、半導体６０の上方に配置されている。
画像処理部３０は、撮像部２０によって得られた半導体６０の撮像データを処理し、処理画像データを生成できる。
【００１３】
第１の判定部４０は、ルールベースにより半導体６０の外観上の欠陥の有無を判定できる。より具体的には、第１の判定部４０は、画像処理部３０が生成した処理画像データ及び予め規定された欠陥のデータに基づいて、半導体６０の外観上の欠陥の有無を判定できる。
第１の判定部４０は、図３（Ａ）に示す半導体６０の画像に対し、図３（Ｂ）に示すように、設定された検査領域（検査対象としない不問エリア以外の領域）において、欠陥を規定するデータとして予め設定された長さや面積等を計測することにより、半導体６０に欠陥があるか否かを判定する。
なお、欠陥として計測する対象は、検出対象とする欠陥の種類によって異なる。例えば、ボイドを規定するデータとして径が０．２ｍｍ以上と設定されると、径が０．２ｍｍ未満のボイドが計測された半導体６０は良品と判定され、それ以外の半導体６０は不良品と判定される。また例えば、傷を規定するデータとして長さ０．２ｍｍ以上と設定されると、長さ０．２ｍｍ未満の傷が計測された半導体６０は良品と判定され、それ以外の半導体６０は不良品と判定される。
従って、第１の判定部４０により、検査結果として保証すべき絶対的な外観上の規格を満たすか否かが判定される。
【００１４】
第２の判定部５０は、機械学習により半導体６０の外観上の欠陥の有無を判定できる。より具体的には、第２の判定部５０は、画像処理部３０が生成した処理画像データ及び予め構築された機械学習モデルに基づいて、半導体６０の外観上の欠陥の有無を判定できる。
第２の判定部５０は、図４に示すように、予め複数の良品を撮像した画像群とボイド、傷、未充填等の各種の不良品を撮像した画像群とを例えばディープラーニング（教師あり学習の一例）により学習し、構築された機械学習モデルに基づいて、半導体６０の外観上の欠陥の有無を判定できることに加え、不良品をボイド、傷、未充填等の欠陥の種類に応じて仕分けできる。
なお、第２の判定部５０及び第１の判定部４０がそれぞれ単独で半導体６０の全数を検査する場合、機械学習による第２の判定部５０による判定処理は、ルールベースよる第１の判定部４０による判定処理よりも高速である。
【００１５】
次に、外観検査装置１０の動作（半導体６０の外観検査方法）について、図５に基づいて説明する。外観検査装置１０は、以下のステップに従って半導体６０の欠陥の有無を検査できる。ただし、可能な場合には、各ステップは順番を入れ替えて実施されてもよいし、並行して実施されてもよい。
以下、説明を単純化するために、規定のボイド及び規定の傷の有無を検査し、これら欠陥がない良品を出荷する出荷検査の例について説明する。
【００１６】
（ステップＳ１）
撮像部２０が出荷前の半導体６０を撮像し、画像処理部３０が撮像データを処理して処理画像を生成する。その後、第２の判定部５０が、機械学習モデルに基づいて、半導体６０の全数について外観を検査する。
【００１７】
（ステップＳ２）
前ステップＳ１の検査にて半導体６０に欠陥がない（ボイドも傷もない）と判定された場合には、良品として扱われる。
欠陥があると判定された場合には、不良品として扱われる。
【００１８】
（ステップＳ３ａ）
前ステップＳ２にて不良品と判定され、その欠陥がボイド不良の場合には、その不良品について第１の判定部４０がボイドの有無を検査する。
（ステップＳ３ｂ）
第１の判定部４０が規定のボイドが存在しないと判定した場合は、その半導体６０は良品として扱われる。一方、第１の判定部４０が規定のボイドが存在すると判定した場合は、その半導体６０は不良品として扱われる。
なお、第１の判定部４０により判定されたボイド不良は、その具体的な測定結果が検査データとして記録される（ボイド不良が計数値化される）。
【００１９】
（ステップＳ４ａ）
前ステップＳ２にて不良品と判定され、欠陥が傷不良の場合には、その不良品について第１の判定部４０が傷の有無を検査する。
（ステップＳ４ｂ）
第１の判定部４０が規定の傷が存在しないと判定した場合は、その半導体６０は良品として扱われる。一方、第１の判定部４０が規定の傷が存在すると判定した場合は、その半導体６０は不良品として扱われる。
なお、第１の判定部４０により判定された傷不良は、その具体的な測定結果が検査データとして記録される（傷不良が計数値化される）。
【００２０】
（ステップＳ５）
ステップＳ３ｂ及びステップＳ４ｂにて不良品と判定された半導体６０は、不良品として所定の処理がなされる。
ステップＳ１にて不良品と判定された半導体６０のうち、欠陥がボイド不良かつ傷不良である半導体６０は、不良品として所定の処理がなされる。欠陥がボイド不良でも傷不良でもない欠陥（その他不良）である半導体６０も、不良品として所定の処理がなされる。
【００２１】
（ステップＳ６）
ステップＳ２にて良品と判定された半導体６０が出荷される。
ステップＳ３ｂ及びステップＳ４ｂにて良品と判定された半導体６０も出荷される。
【００２２】
このように、外観検査装置１０によれば、第２の判定部５０が機械学習により欠陥がある不良品と判定した半導体６０に対して、第１の判定部４０が再度ルールベースにより欠陥の有無を判定し、欠陥がないと判断した半導体６０を良品として取り扱うことによって、予め決められた規格を満たした良品を不良品と誤判定する可能性が低減される。
また、単独での判定処理に関しては、第２の判定部５０の方が第１の判定部４０よりも高速で良否を判定できるため、第１の判定部４０のみで判定する場合よりも、検査に要する時間は全体として短縮される。
【００２３】
以上、本発明の実施の形態を説明したが、本発明は、上記した形態に限定されるものでなく、要旨を逸脱しない条件の変更等は全て本発明の適用範囲である。
検査装置は、被検査対象の外観を検査する外観検査装置に限定されるものではなく、例えば、内部の欠陥を非接触で検査できる非接触検査装置であってもよい。
【符号の説明】
【００２４】
１０  外観検査装置
２０  撮像部
３０  画像処理部
４０  第１の判定部
５０  第２の判定部
６０  半導体